(57)【要約】【課題】  タンポ転写体の凸湾曲転写面を、被印刷物の凹湾曲印刷面に垂直に押付けることにより、被印刷物の湾曲範囲が大きく、深さの大きい凹湾曲印刷面に対しても、印刷ズレのない良好な印刷を可能とすることを目的とする。【解決手段】  タンポ転写体１のインキを転写した凸湾曲転写面３を、内表面を凹湾曲印刷面８とした被印刷物７内に侵入位置させ、次いで凸湾曲転写面３を膨張変位させて、凹湾曲印刷面８に略垂直に押圧し、もって凹湾曲印刷面８に対して凸湾曲転写面３をズレ変位ｚすることなく押付ける。【選択図】図１
2008183833.tif 000002
【特許請求の範囲】
【請求項１】
タンポ転写体の弾性転写部の表面である凸湾曲転写面に、印刷するインキを転写し、該インキを凸湾曲転写面に転写した弾性転写部を、内表面を凹湾曲印刷面とした被印刷物内に侵入位置させ、次いで前記弾性転写部を膨らませて、前記凸湾曲転写面を凹湾曲印刷面に略垂直に押圧するタンポ印刷方法。
【請求項２】
柔軟な弾性材で成形され、表面である凸湾曲転写面の曲率が、被印刷物の凹湾曲印刷面の曲率よりも小さく設定された弾性転写部と、該弾性転写部内の、前記凸湾曲転写面の曲率中心を含む部分に配置され、通路を介して圧力流体源に接続された膨張部と、前記弾性転写部を支持する支持部とから成るタンポ印刷用のタンポ転写体。
【請求項３】
弾性転写部の凸湾曲転写面を、曲率中心を中心として略１８０°中心角の範囲とした請求項２記載のタンポ印刷用のタンポ転写体。
【請求項４】
弾性転写部の凸湾曲転写面を、略凸球弧面状とした請求項２または３記載のタンポ印刷用のタンポ転写体。
【請求項５】
弾性転写部の凸湾曲転写面を、略円柱弧面状とした請求項２または３記載のタンポ印刷用のタンポ転写体。
【請求項６】
膨張部を、弾性転写部内に、被印刷物に対する出入り方向に沿って縦長に位置させた請求項２から５のいずれか１つに記載のタンポ印刷用のタンポ転写体。
【発明の詳細な説明】
【技術分野】
【０００１】
本発明は、弾性体の、物体表面に対する優れた倣い性を利用して、３次曲面への印刷を可能としたタンポ印刷（パッド印刷と同意）方法および、このタンポ印刷方法に使用されるタンポ印刷用のタンポ転写体に関するものである。
【背景技術】
【０００２】
タンポ印刷は、図４に示すように、シリコーンゴム等の柔軟弾性材で成形された弾性転写部１１を支持部１３に固定してタンポ転写体１０を構成し、このタンポ転写体１０の弾性転写部１１の表面である凸湾曲転写面１２に、所望するパターンに描かれたインキを原版（図示省略）から転写し、この転写したインキを、凸湾曲転写面１２を被印刷物１４の凹湾曲印刷面１５に押付けて転写することにより、印刷を達成する。
【特許文献１】特開平１０−０９２２５９号公報
【０００３】
このタンポ印刷技術において、被印刷物１４の凹湾曲印刷面１５が３次曲面である場合、タンポ転写体１０の弾性転写部１１は、凸湾曲転写面１２を形成する先端部分を、弾頭状（凸球弧面状）やカマボコ状（円柱弧面状）等の形状とすることにより、被印刷物１４の凹湾曲印刷面１５に類似した凸湾曲転写面１２を形成できるようにしている。
【０００４】
このように、凸湾曲転写面１２を凹湾曲印刷面１５に類似した湾曲曲面とすることにより、凸湾曲転写面１２を凹湾曲印刷面１５に押付けた際における、この凸湾曲転写面１２の弾性倣い変位動作をできる限り抑制し、これにより良質な印刷を得るようにしている。
【発明の開示】
【発明が解決しようとする課題】
【０００５】
しかしながら、上記した従来技術にあっては、図４（ａ）および（ｂ）に示すように、弾性転写部１１の矢印方向の弾性を利用して印刷を達成しているため、凸湾曲転写面１２の先端部分の印刷は、正常に達成されるものの、凸湾曲転写面１２の先端部分から離れたに部分の印刷は、印刷ズレの生じた不良なものとなる、と云う問題があった。
【０００６】
すなわち、図４に示すように、被印刷物１４の凹湾曲印刷面１５の湾曲範囲を示す中心角が大きくなると、凸湾曲転写面１２の先端部分から離れたに部分は、凹湾曲印刷面１５に押付けられた後、図４（ｃ）の横方向の矢印で示された力を受けてズレ変位ｚを発生し、このため印刷ズレが生じるのである。
【０００７】
このように、凸湾曲転写面１２の先端部分以外の部分に印刷ズレが発生するので、タンポ印刷できる被印刷物１４の凹湾曲印刷面１５は、凸湾曲転写面１２の先端部分に対向するごく限られた，深さの浅い部分だけとなり、印刷可能な凹湾曲印刷面１５の大きさおよび形状が、大幅に制限される、と云う問題があった。・
【０００８】
そこで、本発明は、上記した従来技術における問題点を解消すべく創案されたもので、タンポ転写体の弾性転写部の凸湾曲転写面を、被印刷物の凹湾曲印刷面に対して垂直に押付けることを技術的課題とし、もって被印刷物の湾曲範囲が大きく、深さの大きい凹湾曲印刷面に対しても、印刷ズレのない良好な印刷を可能とすることを目的とする。
【課題を解決するための手段】
【０００９】
本発明のタンポ印刷方法は、タンポ転写体の弾性転写部の表面である凸湾曲転写面に、印刷するインキを転写し、このインキを凸湾曲転写面に転写した弾性転写部を、内表面を凹湾曲印刷面とした被印刷物内に侵入位置させ、次いで弾性転写部を膨らませることにより、弾性転写部の凸湾曲転写面を、被印刷物の凹湾曲印刷面に略垂直に押圧するようにしたものである。
【００１０】
タンポ転写体の弾性転写部は、被印刷物内で膨らみ変形するので、被印刷物の凹湾曲印刷面に接触した凸湾曲転写面は、凹湾曲印刷面に対して略垂直となった膨らみ方向に沿って押付けられる。
【００１１】
このように、弾性転写部の凸湾曲転写面が、被印刷物の凹湾曲印刷面に略垂直に押付けられるので、凸湾曲転写面が凹湾曲印刷面に対してズレ変位することがない。
【００１２】
それゆえ、凸湾曲転写面の凹湾曲印刷面に対する押付けは、弾性転写部の膨らみ変形により達成されるので、凸湾曲転写面の印刷可能領域が、先端部分に限定されることなく、湾曲範囲が大きく、深さの大きい凹湾曲印刷面全域を印刷可能領域とすることができる。
【００１３】
また、インキを転写する凸湾曲転写面を膨らみ変形させて、すなわち伸び変形させて印刷を行うので、この伸び変形の程度によって、凸湾曲転写面に転写されているインキを、連続して充分に薄くすることが可能となり、これによりグラデーション印刷とかぼかし印刷を簡単に行うことができる。
【００１４】
本発明によるタンポ印刷用のタンポ転写体は、弾性転写部と、この弾性転写部を支持する支持部と、弾性転写部内に設けられた膨張部とから構成されている。
【００１５】
弾性転写部は、シリコーンゴム等の柔軟な弾性材で成形され、表面である凸湾曲転写面の曲率を、被印刷物の凹湾曲印刷面の曲率よりも小さく設定し、その全体形状が、凹湾曲印刷面に対して相似形に近いものとなっている。
【００１６】
膨張部は、弾性転写部内の、凸湾曲転写面の曲率中心を含む部分に配置されており、圧縮空気等の圧力流体を供給する圧力流体源に、通路を介して接続されており、圧力流体を供給されることにより、弾性転写部内で膨らみ、これにより凸湾曲転写面を略放射方向に押圧する。
【００１７】
それゆえ、膨張部の膨張変形により弾性転写部が膨らむと、凸湾曲転写面は、その曲率が大きくなって、凹湾曲印刷面の曲率と等しくなったところで、この凹湾曲印刷面に接触し、そのままズレ変位することなく押付けられる。
【００１８】
膨張部の膨張変形により膨らみ変形する弾性転写部部分は、その先端部分に限定されることなく、支持部で支持された部分以外の部分であるので、大きな中心角範囲に対応して形成されている凹湾曲印刷面に対しても、印刷を施すことが可能となる。
【００１９】
このように、弾性転写部の膨らみ変形は、専用に設けた膨張部の膨張変形により得られるので、安定して確実に一定したものとなる。
【００２０】
本発明のタンポ転写体の別の手段は、弾性転写部の凸湾曲転写面を、曲率中心を中心として略１８０°中心角の範囲としたことにある。
【００２１】
凸湾曲転写面を略１８０°中心角範囲としたものにあっては、略凹半球弧面状若しくは略凹半円柱弧面状となった凹湾曲印刷面への印刷が可能となる。
【００２２】
また、本発明のタンポ転写体の別の手段は、弾性転写部の凸湾曲転写面を、略凸球弧面状としたことにある。
【００２３】
弾性転写部の凸湾曲転写面を、略凸球弧面状としたものにあっては、凹球弧面状の凹湾曲印刷面に対して、きわめて良好に印刷を施すことが可能となる。
【００２４】
また、本発明のタンポ転写体の別の手段は、弾性転写部の凸湾曲転写面を、略円柱弧面状としたことにある。
【００２５】
弾性転写部の凸湾曲転写面を、略円柱弧面状としたものにあっては、凹円柱弧面状の凹湾曲印刷面に対して、きわめて良好に印刷を施すことが可能となる。
【００２６】
また、本発明のタンポ転写体の別の手段は、膨張部を、弾性転写部内に、被印刷物に対する出入り方向に沿って縦長に位置させたことにある。
【００２７】
弾性転写部内に、膨張部を縦長に位置させたものにあっては、膨張部の横方向への大きな膨張変形量を簡単に得ることができるので、弾性転写部の凸湾曲転写面の先端部分以外の部分の、凹湾曲印刷面への押付けを無理なく確実に達成することができる。
【発明の効果】
【００２８】
本発明は、上記した構成となっているので、以下に示す効果を奏する。
本発明のタンポ印刷方法にあっては、弾性転写部の凸湾曲転写面が、被印刷物の凹湾曲印刷面に略垂直に押付けられるので、凸湾曲転写面が凹湾曲印刷面に対してズレ変位することがなく、これにより得られる印刷は、印刷ズレのない、良好なものとなる。
【００２９】
また、凸湾曲転写面の全域を印刷可能領域とすることができるので、中心角範囲の大きい凹湾曲印刷面に対しての印刷が可能となり、３次曲面に対する印刷適用範囲を大幅に拡大することができる。
【００３０】
さらに、凹湾曲印刷面に対するグラデーション印刷とかぼかし印刷を簡単に行うことができるので、凹湾曲印刷面に対する加飾の領域を広くすることができる。
【００３１】
本発明によるタンポ印刷用のタンポ転写体にあっては、膨張部の膨張変形により膨らみ変形する弾性転写部部分は、支持部で支持された部分以外の全ての部分であるので、大きな中心角範囲に対応して形成されている凹湾曲印刷面に対しても、印刷を施すことが可能となり、これにより印刷可能な凹湾曲印刷面の範囲を広げることができる。
【００３２】
また、弾性転写部の膨らみ変形が、安定して確実に一定したものとなるので、凹湾曲印刷面に対する良好な印刷を得ることができる。
【００３３】
凸湾曲転写面を略１８０°中心角範囲としたものにあっては、略凹半球弧面状若しくは略凹半円柱弧面状となった凹湾曲印刷面への印刷が可能となり、これによりきわめて深さの有る凹湾曲印刷面に対する印刷が可能となる。
【００３４】
弾性転写部の凸湾曲転写面を、略凸球弧面状としたものにあっては、凹球弧面状の凹湾曲印刷面に対する印刷を、無理なくきわめて良好なものとすることができる。
【００３５】
弾性転写部の凸湾曲転写面を、略円柱弧面状としたものにあっては、凹円柱弧面状の凹湾曲印刷面に対する印刷を、無理なくきわめて良好なものとすることができる。
【００３６】
弾性転写部内に、膨張部を縦長に位置させたものにあっては、弾性転写部の凸湾曲転写面の先端部分以外の部分の、凹湾曲印刷面への押付けを無理なく確実に達成することができるので、凹湾曲印刷面全域への印刷を、無理なく良好に達成することができる。
【発明を実施するための最良の形態】
【００３７】
以下、本発明の実施形態例を、図１〜図３を参照しながら説明する。
【００３８】
図１は、本発明の基本的な構成と、操作手順を示すもので、タンポ転写体１は、シリコーンゴム等の柔軟な弾性材製の弾性転写部２と、この弾性転写部２を支持すべく、弾性転写部２の上に固定された支持部５と、弾性転写部２内に埋設組付けされた膨張部４とから構成されている。
【００３９】
弾性転写部２は、先端部（図１において、下端部）を、被印刷物７の内表面である凹湾曲印刷面８の曲率よりも小さい曲率の凸湾曲面とし、この先端部に続く残部を円滑な湾曲面とした凸湾曲転写面３を有しており、この凸湾曲転写面３の表面に、原版（図示省略）から所望パターンに描かれたインキを転写する。
【００４０】
弾性転写部２内に設けられた膨張部４は、支持部５内を通過して形成された通路６を介して、圧縮空気等の圧力流体源（図示省略）に接続されており、タンポ転写体１の被印刷物７に対する出入り方向に沿って縦長に位置している。
【００４１】
図１（ａ）に示すように、凸湾曲転写面３にインキを転写したタンポ転写体１を被印刷物７内に侵入させ、凸湾曲転写面３の先端部分が、被印刷物７の凹湾曲印刷面８に接触、もしくは少し押付けられたところで、圧力流体の供給により膨張部４を膨張させて、これにより弾性転写部２を膨らませる（図１（ｂ）参照）。
【００４２】
この弾性転写部２の膨らみ変形により、インキの転写された凸湾曲転写面３は、凹湾曲印刷面８に対して、既に押付けられている先端部分に近い部分から順に、垂直に押付けられ（図１（ｃ）参照）、これにより湾曲範囲が広くて深い凹湾曲印刷面８の全域に対して、印刷ズレのない、良好な印刷を施すことになる。
【００４３】
図２は、半凹球弧面状の凹湾曲印刷面８を有する被印刷物７に対するタンポ印刷に適したタンポ転写体１の構成例を示すもので、膨張部４を内蔵した弾性転写部２全体は、球弧状の先端部を有する略砲弾状をしている。
【００４４】
これに対して、図３は、半凹円柱状である半円溝状の凹湾曲印刷面８を有する被印刷物７に対するタンポ印刷に適したタンポ転写体１の構成例を示すもので、膨張部４を内蔵した弾性転写部２全体は、半円柱状であるカマボコ状をしている。
【００４５】
なお、図３に示したタンポ転写体１の構成例の場合、弾性転写部２に内蔵された膨張部４は、弾性転写部２の長さ方向に沿って幅広に構成するのが良い。
【００４６】
また、図１に示した実施形態例にあっては、印刷開始時に、凹湾曲印刷面８の上側部分が、凸湾曲転写面３と大きく離れているので、この凹湾曲印刷面８の上側部分を印刷する凸湾曲転写面３部分は、大きく伸び変形することになり、このためグラデーション印刷やぼかし印刷を施すことが容易となる。
【図面の簡単な説明】
【００４７】
【図１】はタンポ転写体の基本的構成と、印刷手順を示す説明図である。
【図２】はタンポ転写体と被印刷物との組合せの第一の例を示す、斜視図である。
【図３】はタンポ転写体と被印刷物との組合せの第二の例を示す、斜視図である。
【図４】は従来のタンポ転写体の基本的構成と、印刷手順を示す説明図である。
【符号の説明】
【００４８】
１、１０  ；  タンポ印刷体
２、１１  ；  弾性転写体
３、１２  ；  凸湾曲転写面
４        ；  膨張部
５、１３  ；  支持部
６        ；  通路
７、１４  ；  被印刷物
８、１５  ；  凹湾曲印刷面
ｚ        ；  ズレ変位
【図１】
2008183833.tif 000003
【図２】
2008183833.tif 000004
【図３】
2008183833.tif 000005
【図４】
2008183833.tif 000006